(57)【特許請求の範囲】
【請求項１】
炭素数８〜２２の脂肪酸とアミノ酸またはアミノ酸のアルカリ金属塩、アンモニウム塩、有機アンモニウム塩の１種または２種以上とからなる脂肪酸塩を０．５〜４０重量％含有する洗浄剤組成物であって、該脂肪酸塩に含まれるカルボキシル基に対する塩基対のアミノ酸由来のアミノ基とアルカリ金属、アンモニウムまたは有機アンモニウムとの当量比が１／５〜５／１であり、前記アミノ酸が中性または酸性アミノ酸であることを特徴とする洗浄剤組成物。
【発明の詳細な説明】
【０００１】
【発明の属する技術分野】
本発明は皮膚に対する刺激性が低く、高い起泡性および良好な泡質が得られ、洗浄時および洗いあがりの使用感に優れ、かつ経時安定性の良好な洗浄剤組成物に関する。
【０００２】
【従来の技術】
洗浄剤組成物にはその目的にあわせて様々な界面活性剤が使用されているが、身体用洗浄剤についてはその主剤として、豊かな泡立ちと日本人にあった好ましい使用感が得られることから、従来より脂肪酸のアルカリ金属塩またはトリエタノールアンモニウム等の有機アンモニウム塩が主に用いられている。
これらの脂肪酸塩は単独では起泡性は良いものの泡質がやや粗く弾力性に欠け、経時安定性が悪いことから、これを改良する目的で他の界面活性剤と組み合せて使用されているのが一般的である。
【０００３】
そのような洗浄剤組成物の例として脂肪酸塩とアミドエーテルサルフェート型陰イオン性界面活性剤とアルキルホスフェート型陰イオン性界面活性剤を組み合せた組成物（特開平５−２０１８５２号公報）、ラウリン酸塩と２級アミド型Ｎ−アシルアミノ酸塩を組み合わせた組成物（特開平５−１５６２８４号公報）、ラウリン酸カリウム、ミリスチン酸カリウム、オレイン酸カリウムとポリオキシエチレンヒマシ油を組み合わせた組成物（特開昭６１−３００号公報）、脂肪酸塩とｏ−置換リンゴ酸塩を組み合わせた組成物（特開昭５９−１５５００号公報）が開示されている。
また、脂肪酸のアンモニウム塩や有機アンモニウム塩に限定した例としては、脂肪酸のアンモニウム塩またはトリエタノールアンモニウム塩とアシルグルタメート型陰イオン性界面活性剤を組み合わせた組成物（特開昭６１−２８７９９２号公報）、脂肪酸のアルカノールアミン塩とアルキルリン酸エステル型陰イオン性界面活性剤とアミンオキシド型非イオン性界面活性剤を組み合わせた組成物（特開昭５８−１０３５９８号公報）、脂肪酸のトリエタノールアンモニウム塩とスルホコハク酸エステル型陰イオン性界面活性剤を組み合わせた組成物（特開平１−４０４１７号公報）等が開示されている。
【０００４】
【発明が解決しようとする課題】
脂肪酸塩と各種界面活性剤を組みあわせた洗浄剤組成物の多くは、泡質をややクリーミーにする効果は得られるもののその効果は十分ではなく、そればかりか脂肪酸塩の起泡性をむしろ抑制する場合があったり、また洗浄後にぬるつき感を与えてしまい使用感を著しく悪化させるという欠点を有していた。また、脂肪酸のアルカリ金属塩の場合、組成物の安定性を考慮すると組成物のｐＨは塩基性にコントロールせざるを得ず、これは皮膚に対する負担が大きく、また脱脂力が過剰であることから洗浄後のつっぱる感触が強かった。脂肪酸トリエタノールアンモニウム塩のような脂肪酸と有機アンモニウムとの塩ではｐＨは弱塩基性になるものの起泡性が低く、泡質も粗く、洗浄後にぬるつき感が強く、洗い上がりの不快感につながり、皮膚に対する刺激性についても満足のいくものではなく、さらに保存中の著しい着色や臭気の劣化といった経時安定性に問題があった。
【０００５】
本発明の目的は、皮膚に対する刺激性が低く、高い起泡性と良好な泡質が得られ、洗浄時および洗いあがりの使用感に優れ、かつ経時安定性の良好な洗浄剤組成物を提供するものである。
【０００６】
【課題を解決するための手段】
すなわち本発明は、炭素数８〜２２の脂肪酸とアミノ酸またはアミノ酸のアルカリ金属塩、アンモニウム塩、有機アンモニウム塩の１種または２種以上とからなる脂肪酸塩を０．５〜４０重量％含有する洗浄剤組成物であって、該脂肪酸塩に含まれるカルボキシル基に対する塩基対のアミノ酸由来のアミノ基とアルカリ金属、アンモニウムまたは有機アンモニウムとの当量比が１／５〜５／１であり、前記アミノ酸が中性または酸性アミノ酸であることを特徴とする洗浄剤組成物である。
【０００７】
【発明の実施の形態】
本発明で用いられる脂肪酸は炭素数が８〜２２であり、例えばカプリル酸、カプリン酸、ラウリン酸、ミリスチン酸、パルミチン酸、ステアリン酸、イソステアリン酸、オレイン酸、混合物であるヤシ油脂肪酸、パーム核油脂肪酸、牛脂脂肪酸等が挙げられ、炭素数が７以下では皮膚への刺激が強くなり、起泡性が低下し、炭素数が２３以上では起泡性、経時安定性が低下する。
本発明で用いられるアミノ酸の例としてはアスパラギン酸、グルタミン酸等の酸性アミノ酸；グリシン、ザルコシン、アラニン、β−アラニン、フェニルアラニン、バリン、ロイシン、イソロイシン、スレオニン、メチオニン、テアニン、セリン、プロリン、γ−アミノ酪酸、γ−アミノカプロン酸等の中性アミノ酸；アルギニン、オルニチン、ヒスチジン、リジン、トリプトファン等の塩基性アミノ酸が挙げられる。また、アルカリ金属、アンモニウムおよび有機アンモニウムとしてはナトリウム、カリウム、アンモニウム、モノエタノールアンモニウム、ジエタノールアンモニウム、トリエタノールアンモニウム等が挙げられる。
【０００８】
本発明の脂肪酸とアミノ酸またはアミノ酸のアルカリ金属塩、アンモニウム塩、有機アンモニウム塩の配合量は０．５〜４０重量％、好ましくは２〜３５重量％であるが、配合量が０．５重量％より少ないと起泡性、好ましい泡質および使用感が得られず、経時安定性が悪くなる。また配合量が４０重量％を超えると皮膚に対する刺激性が強くなり、経時安定性が悪くなる。
本発明の脂肪酸塩に含まれるカルボキシル基に対するアミノ酸由来のアミノ基とアルカリ金属、アンモニウムまたは有機アンモニウムの当量比は１／５〜５／１、好ましくは酸性アミノ酸の場合が２／５〜２／１、中性アミノ酸の場合が３／４〜５／２、塩基性アミノ酸の場合が１／１〜４／１である。この当量比が１／５より小さいと皮膚に対する刺激性が強くなり、好ましい泡質、使用感が得られず、経時安定性および泡の持続性が悪くなる。また当量比が５／１より大きくなると好ましい泡質、使用感が得られず、経時安定性および泡の持続性が悪くなる。
【０００９】
カルボキシル基１当量に対して、アミノ酸由来のアミノ基とアルカリ金属塩、アンモニウム塩、有機アンモニウム塩は０．１〜５当量であるが、好ましくは酸性アミノ酸の場合が０．５〜２当量、中性アミノ酸の場合が０．６〜２当量、塩基性アミノ酸の場合が０．１５〜０．８当量である。
脂肪酸塩の調整は、目的の組成の脂肪酸塩となるように、まず必要量の精製水に必要量のアミノ酸とアミノ酸以外の塩基性物質を入れ、撹拌しながら７０℃まで昇温し、７０℃到達後に必要量の脂肪酸を入れ、液が透明になるまで撹拌した後、冷却することにより行うことができる。
【００１０】
本発明の洗浄剤組成物は、所望により一般に配合される成分、例えば、アルキルエーテルサルフェート型陰イオン性界面活性剤、アシルメチルタウレート型陰イオン性界面活性剤、アミドエーテルサルフェート型陰イオン性界面活性剤、アシルアミノ酸塩型陰イオン性界面活性剤、アルキルエーテルカルボキシレート型陰イオン性界面活性剤等の陰イオン性界面活性剤、アルキルベタイン型両性界面活性剤、アミドベタイン型両性界面活性剤、イミダゾリニウムベタイン型両性界面活性剤、アミドアミノ酸型両性界面活性剤、アルキルグリシン型両性界面活性剤、アルキルイミノジ酢酸型両性界面活性剤、β−アルキルアミノプロピオン酸型両性界面活性剤、アルキルイミノジプロピオン酸型両性界面活性剤、アルキルジアミノエチルグリシン型両性界面活性剤、アルキルスルホベタイン型両性界面活性剤、アミドスルホベタイン型両性界面活性剤、アルキルホスホベタイン型両性界面活性剤等の両性界面活性剤、ポリオキシエチレンアルキルエーテル型非イオン性界面活性剤、ポリオキシエチレンアルキルフェニルエーテル型非イオン性界面活性剤、ポリオキシエチレン脂肪酸エステル型非イオン性界面活性剤、ソルビタンエステル型非イオン性界面活性剤、ポリオキシエチレンソルビタンエステル型非イオン性界面活性剤、ポリオキシエチレンポリオキシプロピレンアルキルエーテル型非イオン性界面活性剤、脂肪酸アルカノールアミド型非イオン性界面活性剤、ポリオキシエチレン脂肪酸アルカノールアミド型非イオン性界面活性剤、グリセリン脂肪酸エステル型非イオン性界面活性剤、ポリグリセリン脂肪酸エステル型非イオン性界面活性剤、アミンオキシド型非イオン性界面活性剤、アルキルグルコシド型非イオン性界面活性剤等の非イオン性界面活性剤、ヘキサデシルアルコール、オクタデシルアルコール等の高級アルコール、グリセリン、エチレングリコール、プロピレングリコール、１、３−ブタンジオール等の多価アルコール、スクワラン、ホホバ油、オリーブ油、ヒマシ油、ラノリン、レシチン等の油分、セルロ―スエーテル型陽イオン性高分子化合物、陽イオン性ポリビニルピロリドン誘導体、陽イオン性ポリアクリル酸誘導体、陽イオン性ポリアミド誘導体、ポリ塩化ジメチルジアリルアンモニウム、塩化ジメチルジアリルアンモニウムとアクリル酸アミドの共重合体、アルキルポリエチレンイミン等の陽イオン性高分子化合物、高重合メチルポリシロキサン、ジメチルシロキサン・メチル（ポリオキシエチレン）シロキサン共重合体等のシリコーン誘導体、エチレングリコールジステアレート、スチレンポリマー等のパール化剤、パラオキシ安息香酸エステル、安息香酸ナトリウム、フェノキシエタノール等の防腐剤、５−メチル−２−イソプロピルシクロヘキサノール、トウガラシチンキ等のトニック剤、エチレンジアミン四酢酸塩、クエン酸、ニトリロトリ酢酸三ナトリウム等のキレート剤、ベンゾフェノン誘導体、ベンゾトリアゾール誘導体等の紫外線吸収剤、色素、香料等を本発明の効果を損なわない程度に配合することができる。
【００１１】
【発明の効果】
本発明の洗浄剤組成物は、皮膚に対する刺激性が低く、起泡性、泡質、洗浄時および洗いあがりの使用感に優れ、かつ経時安定性の良好な洗浄剤組成物であるため、ボディソープ組成物、ハンドソープ組成物、洗顔用洗浄剤組成物、ヘアシャンプー組成物、食器用洗浄剤組成物等に利用できる。
【００１２】
【実施例】
本発明を実施例により具体的に説明する。
実施例で行なった試験法および評価法を以下に説明する。
（１）皮膚刺激性
組成物を精製水で１０倍に希釈した試験液についてクローズドパッチテストを行なった。健常な皮膚を有する２０〜３０代の男性を被験者とし、一つの試験液につき５名を被験者とした。右上腕内側部に試験液を貼布し、対照として精製水を左上腕内側部に貼布した。貼布から２４時間後にパッチをはがし、被験部を精製水５００ｍｌで洗浄後、１時間安静とし、１時間後に対照と試験液の被験部について肉眼により判定を行なった。対照と試験液の被験部にほとんど違いがみられない場合を２点、対照に比べ試験液の方にわずかに発赤が認められる場合を１点、試験液の方に明らかな発赤または浮腫が認められる場合を０点として５名の合計点から次の３段階で評価した。
皮膚刺激性が低い。（合計点７点以上）
皮膚刺激性がやや高い。（合計点４点以上６点以下）
皮膚刺激性が高い。（合計点３点以下）
【００１３】
（２）起泡力
岩谷産業（株）製ミルサー（型番ＩＦＭ−１００）のカップに組成物を人工硬水（炭酸カルシウム換算で１００ｐｐｍになるように塩化カルシウムとイオン交換水で調製）で１０倍に希釈した試験液５０ｇをとり、これに人工汚垢（オリーブ油５０重量％、オレイン酸２０重量％、ラノリン１０重量％、流動パラフィン１０重量％、スクワレン１０重量％）を０．３ｇ添加してカップに蓋をし、４０℃で１時間静置した。１時間後カップをミルサーにとりつけ、３０００ｒｐｍで５秒間撹拌し、撹拌停止から１分後の泡の高さを測定した。カップの最低位置からの泡の高さが７ｃｍ以上の組成物を起泡力が高い組成物と評価した。
【００１４】
（３）泡の持続力
上記（２）において撹拌停止から５分後の泡の高さを測定し、次の式から求めた数値が９０％以上の組成物を泡の持続力が高い組成物と評価した。
持続率（％）＝｛（５分後の泡の高さ）／（１分後の泡の高さ）｝×１００
【００１５】
（４）起泡性
男女各１０名をパネラーとし、洗浄剤組成物５ｇで体を洗浄した時の起泡性を評価した。泡立ちが良いと感じた場合を２点、泡立ちがややものたりないと感じた場合を１点、泡立ちが悪いと感じた場合を０点として２０名の合計点から、次の３段階で評価した。
泡立ちが良好である。（合計点３０点以上）
泡立ちがやや悪い。（合計点２０点以上３０点未満）
泡立ちが悪い。（合計点２０点未満）
【００１６】
（５）泡質
男女各１０名をパネラーとし、洗浄剤組成物５ｇで体を洗浄した時の泡質を評価した。泡が細かく弾力性があると感じた場合を２点、泡がやや粗いと感じた場合を１点、泡が粗く弾力性がないと感じた場合を０点として２０名の合計点から、次の３段階で評価した。
泡質が良好である。（合計点３０点以上）
泡質がやや悪い。（合計点２０点以上３０点未満）
泡質が悪い。（合計点２０点未満）
【００１７】
（６）洗浄時のぬめり感
男女各１０名をパネラーとし、洗浄剤組成物５ｇで体を洗浄した時のぬめり感を評価した。ぬめり感を感じなかった場合を２点、ややぬめり感が強いと感じた場合を１点、ぬめり感がしつこくてすすぎに時間がかかると感じた場合を０点として２０名の合計点から、次の３段階で評価した。
ぬめり感がない。（合計点３０点以上）
ややぬめり感がある。（合計点２０点以上３０点未満）
ぬめり感がしつこい。（合計点２０点未満）
【００１８】
（７）洗浄後の肌のつっぱり感
男女各１０名をパネラーとし、洗浄剤組成物５ｇで体を洗浄した後の肌のつっぱり感を評価した。肌が全くつっぱらないと感じた場合を２点、少しつっぱると感じた場合を１点、非常につっぱると感じた場合を０点として２０名の合計点から、次の３段階で評価した。
つっぱり感がない。（合計点３０点以上）
少しつっぱりが感ある。（合計点２０点以上３０点未満）
非常につっぱる。（合計点２０点未満）
【００１９】
（８）洗浄後のさっぱり感
男女各１０名をパネラーとし、洗浄剤組成物５ｇで体を洗浄した後のさっぱり感を評価した。非常にさっぱりすると感じた場合を２点、あまりさっぱりしないと感じた場合を１点、ぬるついて全くさっぱりしないと感じた場合を０点として２０名の合計点から、次の３段階で評価した。
十分なさっぱり感が得られる。（合計点３０点以上）
さっぱり感があまり得られない。（合計点２０点以上３０点未満）
さっぱり感が得られない。（合計点２０点未満）
【００２０】
（９）経時安定性（外観）
洗浄剤組成物を−５℃で１２時間保存した後に４５℃で１２時間保存し、これを１サイクルとして１ヶ月間毎日繰り返した。洗浄剤組成物の外観を観察して、次の２段階で評価した。
〇：安定性良好。（各サイクル後の観察で１ヶ月間外観の変化がない）
×：安定性不良。（１ヶ月以内に分離や沈澱が認められる、著しく着色する）
【００２１】
（１０）経時安定性（臭気）
洗浄剤組成物を４５℃に１ヶ月間保存した後、室温に保存した同洗浄剤組成物と臭気を比較し、次の２段階で評価した。
〇：安定性良好。（室温で保存した試料とほとんど臭気がかわらない）
×：安定性不良。（室温で保存した試料と比べ明らかに臭気の劣化が認められる）
実施例１〜１０、参考例１〜５および比較例１〜１０
脂肪酸とアミノ酸および塩基より試料を調製した。表１に調製した試料の脂肪酸、アミノ酸および塩基の組み合わせと脂肪酸塩に含まれるカルボキシル基に対するアミノ酸由来のアミノ基とアルカリ金属、アンモニウム、有機アンモニウムの当量比を示す。
【００２２】
【表１】
0004379961.tif 000002
【００２３】
調製した試料に関して上記の評価法に基づいて評価した。表２に実施例１〜１５および比較例１〜１０の試料の内容について示し、それぞれの評価結果を表３〜６に示す。
【００２４】
【表２】
0004379961.tif 000003
【００２５】
＊残部は精製水
【００２６】
【表３】
0004379961.tif 000004
【００２７】
【表４】
0004379961.tif 000005
【００２８】
表３から、本発明の実施例１〜１０の洗浄剤組成物は、皮膚に対する刺激性が低く、起泡性、泡質、洗浄時および洗浄後の使用感に優れ、かつ経時安定性の良好な洗浄剤組成物であることがわかる。
【００２９】
比較例１の洗浄剤組成物は脂肪酸塩の含有量が０．５重量％より少ないため、１分後の泡高さ、泡の持続力および起泡性が低く、好ましい泡質および洗浄後のさっぱり感が得られない。
比較例２の洗浄剤組成物は脂肪酸塩の含有量が４０重量％を超えているため、皮膚に対する刺激性が高く、洗浄後の肌のつっぱり感が強く、外観における経時安定性が悪い。
【００３０】
比較例３、５および７の洗浄剤組成物は脂肪酸塩に含まれるカルボキシル基に対するアミノ酸由来のアミノ基とアルカリ金属塩、アンモニウム塩および有機アンモニウム塩の当量比が１／５より小さいため、皮膚に対する刺激性が高く、泡の持続力が低く、好ましい泡質、洗浄後のさっぱり感が得られず、洗浄後の肌のつっぱり感が強く、外観における経時安定性が悪い。
比較例４、６および８の洗浄剤組成物は脂肪酸塩に含まれるカルボキシル基に対するアミノ酸由来のアミノ基とアルカリ金属塩、アンモニウム塩および有機アンモニウム塩の当量比が５／１を超えているため、泡の持続力が低く、好ましい泡質、洗浄後のさっぱり感が得られず、洗浄後の肌のつっぱり感が強く、外観および臭気の両方において経時安定性が悪い。
【００３１】
比較例９の洗浄剤組成物は本発明の脂肪酸塩の代わりにラウリン酸カリウム塩を使用しているため、皮膚に対する刺激性が高く、泡の持続力が低く、好ましい泡質、洗浄後の肌のつっぱり感および洗浄後のさっぱり感が得られず、外観における経時安定性が悪い。
比較例１０の洗浄剤組成物は本発明の脂肪酸塩の代わりにラウリン酸トリエタノールアンモニウム塩を使用しているために皮膚に対する刺激性が高く、１分後の泡高さ、泡の持続力、起泡性が低く、好ましい泡質、洗浄後のさっぱり感および洗浄後の肌のつっぱり感が得られず、洗浄時のぬめり感が強く、外観および臭気の両方において経時安定性が悪い。